(57)【要約】      （修正有）【課題】機能モジュールの機能に適合するライセンスを分割することにより、機能モジュールを組み換える時のライセンス管理を不要とする。【解決手段】情報端末１００は、入手した端末権利ファイルおよび暗号化コンテンツをそれぞれ、端末権利ファイル保存部５及び暗号化コンテンツ保存部６に保管する。端末権利ファイル保存部５の使用権利情報として、「表示回数５回」と「印刷回数１回」がある。そして、情報端末１００の機能を確認する。表示機能を有する表示モジュール１０に対して、端末権利ファイル保存部５の使用権利を分割して「表示回数５回」を表示機能を有する表示モジュール１０に対して分割委譲し、モジュール権利情報保存部１３に保管する。また、暗号化コンテンツ６を複写して、暗号化コンテンツ保存部１４に保管する。表示モジュール１０は暗号化コンテンツ１４を復号し表示する。【選択図】図２
2007108987.tif 000002
【特許請求の範囲】
【請求項１】
情報端末本体に脱着可能に取り付けられる機能モジュールと、
暗号化コンテンツを保存する暗号化コンテンツ端末保存手段と、
前記暗号化コンテンツの暗号鍵および当該暗号化コンテンツの使用権利ファイルを保存する端末権利保存手段と、
前記使用権利ファイルに定義されている権利を前記機能モジュールの機能に適合する権利に分割してモジュール使用権利ファイルを作成すると共に、当該モジュール使用権利ファイル、前記暗号鍵及び暗号化コンテンツを前記機能モジュールに送信する端末権利管理手段とを備え、
前記機能モジュールは、
前記端末権利管理手段から送信された前記暗号化コンテンツを保存する暗号化コンテンツモジュール保存手段と、
前記端末権利管理手段から送信された前記モジュール使用権利ファイル及び暗号鍵を保存するモジュール権利保存手段と、
前記モジュール権利保存手段のモジュール使用権利ファイル、暗号鍵、及び前記暗号化コンテンツモジュール保存手段の暗号化コンテンツに基づいて権利管理を行うモジュール権利管理手段とを
具備することを特徴とする情報端末。
【請求項２】
前記端末権利管理手段は、前記機能モジュールの表示機能、印刷機能、音声出力機能、実行機能等の異なる機能にそれぞれ適合する権利に分割してモジュール使用権利ファイルを作成することを特徴とする請求項１に記載の情報端末。
【請求項３】
情報端末本体に脱着可能に取り付けられる機能モジュールであって、
前記情報端末本体から送信された暗号化コンテンツを保存する暗号化コンテンツモジュール保存手段と、
前記情報端末本体から送信されたモジュール使用権利ファイル及び暗号鍵を保存するモジュール権利保存手段と、
前記モジュール権利保存手段のモジュール使用権利ファイル、暗号鍵、及び前記暗号化コンテンツモジュール保存手段の暗号化コンテンツに基づいて権利管理を行うモジュール権利管理手段とを
具備することを特徴とする機能モジュール。
【発明の詳細な説明】
【技術分野】
【０００１】
本発明は、コンテンツの使用権利の分割制御を行う情報端末および機能モジュールに関する。
【背景技術】
【０００２】
複数の機器を支援するＤＲＭ（Ｄｉｇｉｔａｌ  Ｒｉｇｈｔｓ  Ｍａｎａｇｅｍｅｎｔ）技術のライセンス方法がある（例えば、特許文献１参照。）。この特許文献１のライセンス方法にあっては、複数の機器が属する論理領域を管理するサーバがライセンス権を自分の管理している機器に分割して提供し、機器は、割り当てられた権限内でコンテンツを利用する。例えば、ライセンス権が再生時間に関するものであれば、機器別の再生可能時間を分割して割り当てる。さらに他の例として、再生可能回数に関するものであれば、機器別の再生可能回数を分割して割り当てる。このようにして、使用者が複数の機器を所有している場合に、様々な機器でコンテンツを再生できることができる。
【特許文献１】特開２００５−９２８５１号公報（第４〜７頁、図５）
【発明の開示】
【発明が解決しようとする課題】
【０００３】
従来の背景技術のライセンス方法では、再生時間および再生可能回数を分割しているが、複数の機器同士が異なる機能の場合についての記載がない。また、機器を構成する内部の複数の機能モジュールに関する記載はなく、従って、内部の複数の機能モジュール毎のライセンスに関する記載もない。  
本発明は、内部を構成する機能モジュールが脱着により組み換え可能な情報端末において、機能モジュールの機能に適合するライセンスを分割することにより、機能モジュールを組み換える時のライセンス管理を不要とすることができる情報端末および情報端末モジュールを提供することを目的とする。
【課題を解決するための手段】
【０００４】
上記目的を達成するために、本発明の情報端末は、情報端末本体に脱着可能に取り付けられる機能モジュールと、暗号化コンテンツを保存する暗号化コンテンツ端末保存手段と、前記暗号化コンテンツの暗号鍵および当該暗号化コンテンツの使用権利ファイルを保存する端末権利保存手段と、前記使用権利ファイルに定義されている権利を前記機能モジュールの機能に適合する権利に分割してモジュール使用権利ファイルを作成すると共に、当該モジュール使用権利ファイル、前記暗号鍵及び暗号化コンテンツを前記機能モジュールに送信する端末権利管理手段とを備え、前記機能モジュールは、前記端末権利管理手段から送信された前記暗号化コンテンツを保存する暗号化コンテンツモジュール保存手段と、前記端末権利管理手段から送信された前記モジュール使用権利ファイル及び暗号鍵を保存するモジュール権利保存手段と、前記モジュール権利保存手段のモジュール使用権利ファイル、暗号鍵、及び前記暗号化コンテンツモジュール保存手段の暗号化コンテンツに基づいて権利管理を行うモジュール権利管理手段とを具備することを特徴とする。
【０００５】
また、本発明の機能モジュールは、情報端末本体に脱着可能に取り付けられる機能モジュールであって、前記情報端末本体から送信された暗号化コンテンツを保存する暗号化コンテンツモジュール保存手段と、前記情報端末本体から送信されたモジュール使用権利ファイル及び暗号鍵を保存するモジュール権利保存手段と、前記モジュール権利保存手段のモジュール使用権利ファイル、暗号鍵、及び前記暗号化コンテンツモジュール保存手段の暗号化コンテンツに基づいて権利管理を行うモジュール権利管理手段とを備え、前記情報端末本体又は他の情報端末本体に装着されて動作することを特徴とする。
【発明の効果】
【０００６】
本発明によれば、機能モジュール毎に適合するライセンスを分割することにより、機能モジュールを組み換える時のライセンス分割管理を不要とすることが可能となる。
【発明を実施するための最良の形態】
【０００７】
以下、本発明の実施例を、図面を参照して説明する。  
図１は、本発明の実施例に係る情報端末のブロック図である。情報端末１００は、アンテナ１、無線通信部２、端末ＤＲＭ３（端末デジタル権利管理）、端末制御部４、端末権利ファイル保存部５、暗号化コンテンツ保存部６、コネクタ７、コネクタ８、表示モジュール１０、印刷モジュール２０などにより構成されている。
【０００８】
アンテナ１は、図示しない無線局との間で電波の送信受信を行う。無線通信部２は、変調復調処理等を行う。端末ＤＲＭ３は、図示しない無線局を経由して通信網から入手した暗号化コンテンツ等のデジタル権利管理を行い、端末に対して与えられた端末使用権利を分割してモジュール使用権利として、表示モジュール１０、印刷モジュール２０に対して与える。端末制御部４は、端末ＤＲＭ３を含むと共に、情報端末１００全体の制御を行う。端末権利ファイル保存部５は、暗号化コンテンツのＩＤ情報、鍵情報、端末使用権利ファイル等が保存されるメモリである。暗号化コンテンツ保存部６は、暗号化コンテンツが保存されるメモリである。表示モジュール１０、印刷モジュール２０は、それぞれ、コネクタ７、コネクタ８を経由して、情報端末１００の本体に脱着可能に取り付けられる。
【０００９】
表示モジュール１０は、表示機能を有するモジュールであり、モジュールＤＲＭ１１（モジュールデジタル権利管理）、モジュール制御部１２、モジュール権利ファイル保存部１３、暗号化コンテンツ保存部１４、復号部１５、表示部１６などにより構成されている。  
モジュールＤＲＭ１１は、情報端末１００本体の端末ＤＲＭ３から与えられたモジュール使用権利に基づいて、デジタル権利管理を行う。モジュール制御部１２は、モジュールＤＲＭ１１を含むと共に、表示モジュール１０全体の制御を行う。モジュール権利ファイル保存部１３は、暗号化コンテンツのＩＤ情報、鍵情報、モジュール使用権利ファイル等が保存されるメモリである。暗号化コンテンツ保存部１４は、情報端末１００本体の暗号化コンテンツ保存部６と同じ暗号化コンテンツがコピーされる。復号部１５は、暗号化コンテンツ保存部１４の暗号化コンテンツを復号処理する。表示部１６は、復号されたコンテンツを表示する。
【００１０】
印刷モジュール２０は、印刷機能を有するモジュールであり、モジュールＤＲＭ２１（モジュールデジタル権利管理）、モジュール制御部２２、モジュール権利ファイル保存部２３、暗号化コンテンツ保存部２４、復号部２５、印刷部２６などにより構成されている。  
モジュールＤＲＭ２１は、情報端末１００本体の端末ＤＲＭ３から与えられたモジュール使用権利に基づいて、デジタル権利管理を行う。モジュール制御部２２は、モジュールＤＲＭ２１を含むと共に、印刷モジュール２０全体の制御を行う。モジュール権利ファイル保存部２３は、暗号化コンテンツのＩＤ情報、鍵情報、モジュール使用権利ファイル等が保存されるメモリである。暗号化コンテンツ保存部２４は、情報端末１００本体の暗号化コンテンツ保存部６と同じ暗号化コンテンツがコピーされる。復号部２５は、暗号化コンテンツ保存部２４の暗号化コンテンツを復号処理する。印刷部２６は、復号されたコンテンツを印刷する。
【００１１】
図２は、本発明の実施例に係る情報端末の権利分割を説明する図である。図１と同じブロックには同じ番号を付している。  
図３は、本発明の実施例に係る情報端末の本体側の端末制御部の動作フローチャートである。図２と合わせて動作を説明する。端末制御部４は、暗号化コンテンツと端末権利情報を無線通信、有線通信、情報媒体等を経由して入手する（ステップＳ１）。入手した暗号化コンテンツを暗号化コンテンツ保存部６に保存する（ステップＳ２）。入手した端末権利情報を端末権利ファイル保存部５に保存する（ステップＳ３）。この端末権利情報として、暗号化コンテンツのＩＤを表すコンテンツＩＤ情報、暗号化コンテンツを復号するための鍵情報、復号したコンテンツの使用権利情報がある。使用権利情報は、復号したコンテンツをどのような機能で何回使用できるかを表す情報であり、例として、表示を５回実行する権利と印刷を１回実行する権利が許諾されている。
【００１２】
次に、端末制御部４は、情報端末１００に装着されている機能モジュールを読み取り、機能モジュールの機能を確認する（ステップＳ４）。図１の例では、表示モジュール１０と印刷モジュール２０が装着されており、各機能モジュールからの機能情報を読み取って、表示モジュール１０が表示機能を有し、印刷モジュール２０が印刷機能を有していることを確認する。そして、各機能モジュールの機能に適合する端末使用権利を分割して各機能モジュールに与える。すなわち、端末権利ファイル保存部５の「表示を５回実行する権利」情報を、表示モジュール１０のモジュール権利ファイル保存部１３に移動する。また、端末権利ファイル保存部５の「印刷を１回実行する権利」情報を、印刷モジュール２０のモジュール権利ファイル保存部２３に移動する（ステップＳ５）。
【００１３】
そして、端末権利ファイル保存部５の「表示を５回実行する権利」情報と「印刷を１回実行する権利」情報を削除する（ステップＳ６）。そして、暗号化コンテンツ保存部６の暗号化コンテンツを複写して、表示モジュール１０の暗号化コンテンツ保存部１４および印刷モジュール２０の暗号化コンテンツ保存部２４に送付する（ステップＳ７）。
【００１４】
図４は、本発明の実施例に係る情報端末の機能モジュールのモジュール制御部の動作フローチャートである。情報端末の本体側が使用権利を機能モジュールに分割委譲（図２、図３）した後の機能モジュール側の動作について、表示モジュール１０を例に説明する。表示モジュール１０のモジュール権利ファイル保存部１３には、すでに、暗号化コンテンツのＩＤ情報、鍵情報、モジュール使用権利「表示を５回実行する権利」情報が保存されている。また、暗号化コンテンツ保存部１４にも、すでに、暗号化コンテンツが保存されている。
【００１５】
モジュール制御部１２は、モジュール権利ファイル保存部１３のモジュール使用権利「表示を５回実行する権利」情報を読取り、本モジュールの機能に適合していることを確認する（ステップＳ１１）。次に、モジュール権利ファイル保存部１３の暗号化コンテンツのＩＤ情報、鍵情報に基づいて、暗号化コンテンツ保存部１４の暗号化コンテンツの復号処理を行い、表示を行う（ステップＳ１２）。そして、１回表示を行ったので、モジュール権利ファイル保存部１３のモジュール使用権利「表示を５回実行する権利」を１回分減じて、「表示を４回実行する権利」に書き換える（ステップＳ１３）。
【００１６】
このように、表示モジュール１０は、一旦、情報端末１００の本体から使用権利の委譲を受けた後は、表示モジュール１０単独で暗号化コンテンツの権利実行を管理することができる。従って、表示モジュール１０は、使用権利の委譲を受けた情報端末１００に装着された状態で動作してもよい。また、使用権利の委譲を受けた情報端末１００以外の情報端末に装着されて動作することもできる。また、自前の電源部を有していれば、表示モジュール１０単独で動作することもできる。
【００１７】
本発明の実施例として、機能モジュールは、表示モジュール１０、印刷モジュール２０以外に、音楽再生機能を有するスピーカモジュールやゲーム機能を有するゲームモジュール等を備えてもよい。また、機能モジュールはすべて脱着可能である必要はなく、一部の機能モジュールは情報端末１００本体に固定装着されていてもよい。また、暗号化コンテンツ等を、無線通信により入手したが、図示しない有線通信手段や、図示しないディスクやメモリカード等の記憶媒体を経由してディスクやメモリカード等の読取り手段により入手してもよい。また、同一機能を有する複数の機能モジュールに対しては、同一機能の回数や期間を分割して委譲するようにしてもよい。
【００１８】
本発明の実施例によれば、内部を構成する機能モジュールが脱着により組み換え可能な情報端末において、機能モジュールを自由に組み換えた情報端末を組み立てる時に、わざわざ、ライセンスの分割や委譲等の手順を踏むわずらわしさが不要である。従って、使用者はライセンスの分割や委譲等を意識することなく、自由に機能モジュールを組み換えた情報端末を組み立てることができる。
【図面の簡単な説明】
【００１９】
【図１】本発明の実施例に係る情報端末のブロック図。
【図２】本発明の実施例に係る情報端末の権利分割を説明する図。
【図３】本発明の実施例に係る情報端末の本体側の端末制御部の動作フローチャート。
【図４】本発明の実施例に係る情報端末の機能モジュールのモジュール制御部の動作フローチャート。
【符号の説明】
【００２０】
１  アンテナ
２  無線通信部
３  端末ＤＲＭ
４  端末制御部
５  端末権利ファイル保存部
６  暗号化コンテンツ保存部
７  コネクタ
８  コネクタ
１０  表示モジュール
１１  モジュールＤＲＭ
１２  モジュール制御部
１３  モジュール権利ファイル保存部
１４  暗号化コンテンツ保存部
１５  復号部
１６  表示部
２０  印刷モジュール
２１  モジュールＤＲＭ
２２  モジュール制御部
２３  モジュール権利ファイル保存部
２４  暗号化コンテンツ保存部
２５  復号部
２６  印刷部
１００  情報端末
【図１】
2007108987.tif 000003
【図２】
2007108987.tif 000004
【図３】
2007108987.tif 000005
【図４】
2007108987.tif 000006